(57)【要約】【課題】作業員は、火災受信機の記憶装置に対する端末機器個々のアドレスと情報のダウンロードが正常に行われたか否か照合するに、長時間を要していた。【解決手段】監視制御する端末機器個々のアドレスと情報を記憶した記憶装置が設けられており、アドレスにより各端末機器を順次呼出して、応答した各端末機器を記憶装置に記憶された当該端末機器の情報に基づいて監視制御する火災受信機において、記憶装置に記憶された端末機器の個数と呼出しに応答した端末機器の個数とを対比して表示する表示手段を有する構成とし、また、表示手段への表示は各端末機器の監視制御を開始する前に行い、さらに、その後に各端末機器の監視制御に移行するか否かを選択する選択手段を有する構成とした。【選択図】  図３
2009151515.tif 000002
【特許請求の範囲】
【請求項１】
監視制御する端末機器個々のアドレスと情報を記憶した記憶装置が設けられており、アドレスにより各端末機器を順次呼出して、応答した各端末機器を前記記憶装置に記憶された当該端末機器の情報に基づいて監視制御する火災受信機において、前記記憶装置に記憶された端末機器の個数と呼出しに応答した端末機器の個数とを対比して表示する表示手段を有することを特徴とする火災受信機。
【請求項２】
請求項１記載の火災受信機において、表示手段への表示は各端末機器の監視制御を開始する前に行い、さらに、その後に各端末機器の監視制御に移行するか否かを選択する選択手段を有することを特徴とする火災受信機。
【請求項３】
請求項１または請求項２記載の火災受信機において、さらに、記憶装置に記憶された端末機器の個数よりも呼出しに応答した端末機器の個数が少なかった場合には応答しなかった端末機器がある旨を、また、記憶装置に記憶された端末機器の個数よりも呼出しに応答した端末機器の個数が多かった場合には記憶装置の記憶内容に異常がある旨を表示装置に表示することを特徴とする火災受信機。
【発明の詳細な説明】
【技術分野】
【０００１】
本発明は、火災報知設備における火災受信機に関する。
【背景技術】
【０００２】
従来より火災報知設備においては、施設内の各所に配置した火災感知器や防火シャッタ、防火戸、排煙機等の防排煙設備機器のような端末機器に固有のアドレスを付与して火災受信機より順次呼出し、火災受信機はその応答信号を受けて、その端末機器の種別、設置場所、端末機器相互の連動関係等の情報に応じた監視と制御を行っている。施設の規模が大きくなると、この配置された端末機器の数は、数千点にものぼる。このような各端末機器のアドレスと情報は、火災受信機に設けられた記憶装置に予め記憶させているが、その作成はパソコン等のデータ作成装置を用い、リストや設備図面等を参照しながら作成する。このように作成された各端末機器のアドレスと情報は、データ作成装置から、あるいは、一旦メモリー装置にセーブしてから火災受信機の記憶装置にダウンロードしている。(例えば特許文献１参照)。
【０００３】
このように記憶装置にダウンロードされた情報は、端末機器の設置が終了して火災受信機の電源を投入した後に、作業員によって実際に呼出された端末機器からの応答とを照合することにより、記憶装置へのダウンロードが正常に行われたか否かを点検している。
【特許文献１】特開平６-２５９６７１号公報
【発明の開示】
【発明が解決しようとする課題】
【０００４】
しかし、作業員による照合は、規模の大きな施設ではその数が数千点にも及ぶため、たまたま該当する端末機器の点検順序が後ろの方に位置していたりすると、記憶装置へのダウンロードが正常に行われたか否かの結論を得るのに長時間を要する。この記憶装置へのダウンロードが正常に行われなかった原因が、単にダウンロード作業のミスによるような場合には、通常は再度ダウンロードすればその原因は解消されることが多い。しかし、点検の結論を得るのに長時間を要したような場合には、その対処を直ちに行うことができず、作業性が極めて悪くなっていた。
【課題を解決するための手段】
【０００５】
請求項１記載の発明は、監視制御する端末機器個々のアドレスと情報を記憶した記憶装置が設けられており、アドレスにより各端末機器を順次呼出して、応答した各端末機器を記憶装置に記憶された当該端末機器の情報に基づいて監視制御する火災受信機において、記憶装置に記憶された端末機器の個数と呼出しに応答した端末機器の個数とを対比して表示する表示手段を有する構成としている。
【０００６】
請求項２記載の発明は、請求項１に記載の火災受信機であって、表示手段への表示は各端末機器の監視制御を開始する前に行い、さらに、その後に各端末機器の監視制御に移行するか否かを選択する選択手段を有する構成としている。
【０００７】
また、請求項３記載の発明は、請求項１または請求項２に記載の火災受信機であって、さらに、記憶装置に記憶された端末機器の個数よりも呼出しに応答した端末機器の個数が少なかった場合には応答しなかった端末機器がある旨を、また、記憶装置に記憶された端末機器の個数よりも呼出しに応答した端末機器の個数が多かった場合には記憶装置の記憶内容に異常がある旨を表示装置に表示する構成としている。
【発明の効果】
【０００８】
本発明は、上記請求項１の構成によれば、火災受信機が有する表示手段に、記憶装置に記憶された端末機器の個数と呼出しに応答した端末機器の個数が対比して表示されるので、一目瞭然に記憶装置へのダウンロードが正常に行われたか否かの結論を得ることができる。
そして、ダウンロードが正常に行われていないとなったときには、直ちに再ダウンロードの作業を実施して不具合を解消することができるので、作業性が飛躍的に向上する。
【０００９】
本発明は、上記請求項２の構成によれば、表示手段への表示は各端末機器の監視制御を開始する前に行うので、火災報知設備の運用を開始するときに火災受信機の電源を投入すると、まず記憶装置に記憶された端末機器の個数と呼出しに応答した端末機器の個数が対比して表示される。そして、その後に各端末機器の監視制御に移行するか否かを選択する選択手段を有しているので、作業員は記憶装置へのダウンロードが正常に行われている場合には直ちに監視制御に移行することができ、また、正常に行われていない場合には直ちに再ダウンロードの作業を実施して不具合を解消することができるので、作業性が向上する。
【００１０】
本発明は、上記請求項３の構成によれば、記憶装置に記憶された端末機器の個数よりも呼出しに応答した端末機器の個数が少なかった場合には、応答しなかった端末機器がある旨を表示装置に表示するので、まだ設置されていない端末機器のあることを容易に確認することができる。
また、記憶装置に記憶された端末機器の個数よりも呼出しに応答した端末機器の個数が多かった場合には、記憶装置の記憶内容に異常がある旨を表示装置に表示するので、記憶装置へのダウンロードが正常に行われていなかったと簡単に判断でき、直ちに再ダウンロードの作業を実施して不具合を迅速に解消することができる。
【発明を実施するための最良の形態】
【００１１】
つぎに、本発明の実施の形態を図面を参照して説明する。図１は火災報知設備全体の概略図である。火災受信機１には、中継器２を介して火災感知器３や防火シャッタ４、防火戸５、排煙機６等の防排煙設備機器のような端末機器Ｔが接続されている。この中継器２と端末機器Ｔとで１つの系統を形成し、その系統数は施設の規模に従うので、規模の大きな施設では多くの系統が火災受信機に接続される。なお、図１の火災受信機１には１系統の線路しか接続されていないが、以下説明の都合上、複数系統存在しているものの、他の系統も同様の構成からなるので省略した。
【００１２】
各端末機器Ｔにはそれぞれ固有のアドレスが付与される。通常、このアドレス付与は、端末機器個々に設けられたアドレス設定スイッチを操作して所望のアドレスに設定したり、あるいは、端末機器個々に設けられた書き替え可能なメモリに所望のアドレスを書き込むことにより行われる。なお、火災感知器３は個々にアドレス設定機能を有するものもあるが、アドレス設定機能を持たない火災感知器については中継器２においてアドレスを付与することもある。また、防排煙設備機器である防火シャッタ４、防火戸５、排煙機６等については、通常はアドレス設定機能を有することはなく、これもやはり中継器２においてアドレスを付与している。アドレスを付与しなければならない端末機器の数は、大規模な施設においては数千点にも及ぶことがあり、これらに個別にアドレスを付与するのは大変な作業である。
【００１３】
各端末機器Ｔは、その付与されたアドレスのほかに、煙感知器、熱感知器、防火シャッタ、防火戸、排煙機等の種別情報を持つ。この種別情報は、各端末機器Ｔが個々に保持していることもあるが、火災受信機１側で端末機器のアドレスに対応させて保持しているのが一般的である。
火災受信機１は、各端末機器Ｔのアドレスと種別のほかに、その設置場所、さらに端末機器相互の連動関係等の情報を、図示はしていないが内部の記憶装置に記憶している。
このように構成された火災報知設備において、運用が開始されると火災受信機１はアドレスにより各端末機器Ｔを順次呼出し、応答した各端末機器Ｔを記憶装置に記憶された当該端末機器の情報に基づいて監視制御する。
【００１４】
この監視制御とは、例えばつぎのようなものである。火災受信機１はアドレスにより各端末機器Ｔを順次呼出し、ある系統の火災感知器３が火災警報レベルの応答信号を返して火災発生状態を検出すると、火災受信機１は火災警報を発生する。通常、この火災警報は火災受信機本体と、記憶装置に記憶された情報に基づいて、火災発生状態が検出された区域およびその近傍に発せられる。
さらに、その火災感知器３から火災警報レベルよりも高い連動報レベルの応答信号を返してくると、火災受信機１は記憶装置に記憶された情報に基づいて、防火シャッタ４、防火戸５、排煙機６等の防排煙設備機器を連動制御する。
【００１５】
このように、火災受信機１の記憶装置に記憶される情報は、火災報知設備全体の動作を規定する重要な情報である。この記憶装置に記憶される情報は、火災報知設備が設置される施設毎に内容が異なり、なおかつ、記憶装置に記憶させる端末機器のアドレスや情報は、その数が膨大であるため、通常はリスト、設備図等を参照しながらパソコン等のデータ作成装置７を用いて作成し、検証作業を経て完成される。
【００１６】
一方、火災報知設備が設置される施設の現場においては、設備図等を参照しながら火災感知器３や防火シャッタ４、防火戸５、排煙機６等の各端末機器Ｔを設置する。なお、この設置作業は規模が大きな施設にあっては長期間を要するため、複数の系統を幾つかに区分したりして、実際に設置された各端末機器Ｔと記憶装置に記憶させた端末機器のアドレスや情報との対応を検証する。火災報知設備は、この検証作業が完了してはじめて本格稼働が可能な状態となる。
【００１７】
本発明による火災受信機は、このような検証作業に入る前段階において作業効率を飛躍的に向上させたものである。
すなわち、パソコン等のデータ作成装置７を用いて作成した火災受信機１の記憶装置に記憶される情報は、データ作成装置７から、あるいは、一旦メモリー装置にセーブしてから火災受信機１の記憶装置にダウンロードする。なお、図１の概略図においてはデータ作成装置７をケーブル８を介して火災受信機１に直接接続し、火災受信機１の記憶装置にダウンロードしている。
【００１８】
つぎに、本発明による火災受信機のダウンロードから検証作業開始までの処理手順を、図２のフローチャートならびに図３の表示画面図を用いて説明すると、データ作成装置７をケーブル８を介して火災受信機１に接続した状態で火災受信機１にデータ転送作業を開始させる（ステップＳ１）。火災受信機１は、データ設定装置７から転送される情報を一旦記憶装置である書き替え可能なメモリに書き込み、転送作業が終了したかをチェックすして転送作業が終了していない場合は、転送作業を継続する（ステップＳ２）。転送作業が終了すると、記憶装置である書き替え可能なメモリに書き込まれた情報は、ＲＡＭ等の作業領域に展開される（ステップＳ３）。
【００１９】
つぎに、火災受信機１はアドレスによりその系統毎に許容される端末機器を順次すべて呼出し、その呼出しに応答した端末機器の個数をカウントして接続状態の確認を行う（ステップＳ４）。すべての端末機器の呼び出しと応答信号の受信が終了して接続状態の確認が終了すると、作業領域に展開されている記憶装置に記憶された端末機器の個数と、呼出しに応答した端末機器の個数とを対比して、火災受信機１の表示画面１０上に表示する（ステップＳ５）。
【００２０】
この表示画面１０には、ロードチェックとして各系統別に、作業領域に展開されている記憶装置に記憶された端末機器の個数をデータアドレスとして、また、呼出しに応答した端末機器の個数を応答アドレスとして対比して表示している。より詳細には、作業領域に展開されている記憶装置に記憶された端末機器を「ＯＰＥＮ」とし、その端末機器の中で呼出し応答があっても対応処理を行わないマスク処理するものを「ＭＳＫ」として、各系統別に表示している。
【００２１】
さらに、表示画面１０には、系統別に「ＯＰＥＮ」として左側に表示している記憶装置に記憶された端末機器の個数よりも、右側に表示している呼出しに応答した端末機器の個数が少なかった場合には、「○無応答あり」として応答しなかった端末機器がある旨を表示する。すなわち、２系統の記憶装置に記憶された端末機器の個数が「７８」であるのに対して、呼出しに応答した端末機器の個数が「３４」であるので、「○無応答あり」として応答しなかった端末機器がある旨を表示している。
【００２２】
また、系統別に「ＯＰＥＮ」として左側に表示している記憶装置に記憶された端末機器の個数よりも、右側に表示している呼出しに応答した端末機器の個数が多かった場合には、「●ロード異常」として記憶装置の記憶内容に異常がある旨を表示する。すなわち、３系統の記憶装置に記憶された端末機器の個数が「０」であるのに対して、呼出しに応答した端末機器の個数が「１６９」であるので、「●ロード異常」として記憶装置の記憶内容に異常がある旨を表示している。
【００２３】
このような表示装置１０に表示された確認結果を受けて、作業員は各端末機器の監視制御に移行するか否かを選択する（ステップＳ６）。この選択を行う選択手段としては、表示装置１０をタッチパネル式の表示装置としてその上に表示された２つのタッチボタン１１，１２としてもよいし、火災受信機１のパネル上に設けられた専用の選択ボタンとしてもよい。
【００２４】
この選択によって、「正常運用へ移行」ボタン１１を選択した場合には各端末機器の種別設定、設置場所設定、端末機器相互の連動関係設定等の初期設定処理へと移行する（ステップＳ７）。ただし、「正常運用へ移行」を選択する場合とは、必ずしも「○無応答あり」とか、「●ロード異常」とかの表示がない場合とは限定されず、作業員の選択に任せられる。これは、規模が大きな施設にあっては設置作業が長期間を要するため、本格稼働が可能な状態でなくとも、複数の系統を幾つかに区分して検証したり、あるいは、記憶装置に記憶させた端末機器の分だけ実際に端末機器Ｔを設置していないような場合であっても検証を行いたいようなときに選択される。
【００２５】
また、「リセットする」ボタン１２を選択した場合にはもう一度データ作成装置７から火災受信機１にデータ転送を行う作業へ戻る。これは、データ設定装置７上に作成された情報に不備がないのに火災受信機１の記憶装置に転送された情報が異常であると思われるとき、すなわち、データ設定装置７から火災受信機１へのデータ転送作業に何らかの不具合があったと思われるときに選択される。
【００２６】
以上のように、本発明による火災受信機は、従来のように作業員によって端末機器一つ一つについて実際に呼出された端末機器からの応答を照合することにより、記憶装置へのダウンロードが正常に行われたか否かを点検していたのと比べて、自動的にすべてを呼出した結果を比較表示するので、このような点検作業の効率を飛躍的に向上させたものである。
【図面の簡単な説明】
【００２７】
【図１】本発明による火災報知設備全体の概略図である。
【図２】本発明による火災受信機のダウンロードから検証作業開始までの処理手順を説明するためのフローチャートである。
【図３】本発明による火災受信機の表示画面図である。
【符号の説明】
【００２８】
１火災受信機
２中継器
３火災感知器
４防火シャッタ
５防火戸
６排煙機
７データ設定装置
１０表示手段（表示画面）
１１，１２選択手段（タッチボタン）
【図１】
2009151515.tif 000003
【図２】
2009151515.tif 000004
【図３】
2009151515.tif 000005